(57)【要約】【課題】中継基板およびカバー部材の設置に必要な前後スペースを抑制する。【解決手段】パチンコ機１０は、第２中継基板６０ｂと、第２中継基板６０ｂが取り付けられる第２中継カバー７０ｂと、第２中継カバー７０ｂにおいて第２中継基板６０ｂから外れた位置に形成され、固定ネジＮａを挿通可能なカバー挿通孔部７４ａと、設置部材３０の後面から後方へ向けて突設されて第２中継カバー７０ｂにおける第２中継基板６０ｂから外れた位置に突出端部が当接する設置固定突部５１とを備え、カバー挿通孔部７４ａに挿通した固定ネジＮａを設置固定突部５１に螺挿することで、設置固定突部５１の突出端部に当接した第２中継カバー７０ｂと設置部材３０との間に、当該設置固定突部５１に対して突出方向に交差する方向に重なる状態で第２中継基板６０ｂが収容されるように構成した。【選択図】図５
2015198752.tif 000002
【特許請求の範囲】
【請求項１】
遊技球が流下可能な遊技領域が前面側に画成された遊技領域形成部材と、前記遊技領域形成部材の後側に配設され、当該遊技領域形成部材との間に収容空間を画成する空間画成部材とを備え、前記遊技領域形成部材および空間画成部材の間の収容空間に演出部品が配設された遊技機において、
回路を有する基板本体の一方の面に複数のコネクタ接続部が設けられ、当該複数のコネクタ接続部に接続された電気部品を電気的に中継接続すると共に、当該基板本体におけるコネクタ接続部の実装面には他方の面に設けられる電子部品よりも高さ寸法の大きい電子部品が設けられる中継基板と、
前記中継基板が取り付けられると共に当該中継基板における前記コネクタ接続部の実装面を被覆するカバー部材と、
前記カバー部材において前記中継基板から外れた位置に形成され、固定ネジを挿通可能な挿通孔部と、
前記空間画成部材の後面から後方へ向けて突設されて前記カバー部材における前記中継基板から外れた位置に突出端部が当接すると共に、前記固定ネジを螺挿可能な固定突部とを備え、
前記挿通孔部に挿通した固定ネジを前記固定突部に螺挿することで、固定突部の突出端部に当接した前記カバー部材と空間画成部材との間に、当該固定突部に対して突出方向に交差する方向に重なる状態で前記中継基板が収容される
ことを特徴とする遊技機。
【請求項２】
前記中継基板には、前記基板本体の実装面の直交方向から配線のコネクタを接続し得るよう前記コネクタ接続部が設けられ、
前記空間画成部材には、前記中継基板との対向位置に、当該中継基板へ向けて突出する突部が突設されると共に、
前記中継基板の基板本体から前記突部までの離間寸法は、当該基板本体の前記他方の面に設けられた電子部品から前記空間画成部材までの離間寸法よりも小さくなるよう構成された請求項１記載の遊技機。
【請求項３】
前記カバー部材には、前記コネクタ接続部の実装面に対向する後壁部に、前方から固定ネジを螺挿可能な第２の固定突部が後方へ向けて突設され、
前記中継基板には、前記第２の固定突部と対応する位置に、前記固定ネジを前方から挿通可能な第２の挿通孔部が形成され、
前記第２の挿通孔部に挿通した固定ネジを前記第２の固定突部に螺挿することで、前記コネクタ接続部の実装面を被覆する状態で前記カバー部材に前記中継基板が取り付けられた請求項１または２記載の遊技機。
【請求項４】
前記カバー部材は、前記コネクタ接続部の実装面に設けられた電子部品を被覆する被覆部に、配線を保持する配線保持部が形成された請求項１〜３の何れか一項に記載の遊技機。
【発明の詳細な説明】
【技術分野】
【０００１】
本発明は、設置部材の後側に中継基板を配設した遊技機に関するものである。
【背景技術】
【０００２】
遊技機の代表例の一つとしてのパチンコ機には、固定枠に開閉自在に組み付けられた本体枠に、パチンコ球が流下可能な遊技領域が前面側に形成された遊技盤が着脱自在に配設されている。遊技盤は、前記遊技領域が前面側に形成された板部材の後側に、前方に開放する箱状に形成された設置部材が取り付けられ、これら板部材および設置部材の間に画成される収容空間には、発光演出装置や可動演出装置を収容する収容空間が画成されている。また、前記設置部材の後面側には、遊技領域に設けられた入賞口へのパチンコ球の入賞に基づいて制御を実行する制御装置や、該制御装置の制御に応じて表示画面に図柄を表示する図柄表示装置が着脱自在に配設されると共に、制御装置等の複数の電気部品を電気的に中継接続する中継基板が取り付けられている。この中継基板は、設置部材の後面側に突設されたボス部に対して該中継基板のネジ孔に挿通した固定ネジを螺挿することで取り付けられる(例えば、特許文献１)。
【先行技術文献】
【特許文献】
【０００３】
【特許文献１】特開２０１０−２２７４２４号公報
【発明の概要】
【発明が解決しようとする課題】
【０００４】
ところで近年では、設置部材の後側に露出する中継基板を狙った不正行為を防ぐ対策として中継基板の後側を覆うカバー部材の設置も求められている現実がある。一方で遊技盤には、大型の演出装置の採用に伴い前記収容空間が大きく形成されており、パチンコ機の大きさが有限であることから前記設置部材の後面側のスペースが縮小される傾向にある。ここで、設置部材の後面側において固定ネジを螺挿可能な大きさで前記ボス部を後方へ向けて突設し、当該ボス部の後側に位置する中継基板をカバー部材により後側から覆うよう構成すれば、ボス部、中継基板およびカバー部材が前後に重なって設置部材の後面側の前後スペースを大きく占有することとなる。
【０００５】
そこで本発明は、従来の技術に内在する前記問題に鑑み、これらを好適に解決するべく提案されたものであって、中継基板をカバー部材により覆いつつ、該中継基板およびカバー部材の設置に必要な前後スペースを抑制可能な遊技機を提供することを目的とする。
【課題を解決するための手段】
【０００６】
前記課題を克服し、所期の目的を達成するため、本願請求項１に係る遊技機は、
遊技球が流下可能な遊技領域が前面側に画成された遊技領域形成部材(20a)と、前記遊技領域形成部材(20a)の後側に配設され、当該遊技領域形成部材(20a)との間に収容空間(31)を画成する空間画成部材(30)とを備え、前記遊技領域形成部材(20a)および空間画成部材(30)の間の収容空間(31)に演出部品(89)が配設された遊技機において、
回路を有する基板本体(61)の一方の面に複数のコネクタ接続部(62)が設けられ、当該複数のコネクタ接続部(62)に接続された電気部品を電気的に中継接続すると共に、当該基板本体(61)におけるコネクタ接続部(62)の実装面には他方の面に設けられる電子部品(64)よりも高さ寸法の大きい電子部品(63)が設けられる中継基板(60a,60b)と、
前記中継基板(60a,60b)が取り付けられると共に当該中継基板(60a,60b)における前記コネクタ接続部(62)の実装面を被覆するカバー部材(70a,70b)と、
前記カバー部材(70a,70b)において前記中継基板(60a,60b)から外れた位置に形成され、固定ネジ(Na)を挿通可能な挿通孔部(74a)と、
前記空間画成部材(30)の後面から後方へ向けて突設されて前記カバー部材(70a,70b)における前記中継基板(60a,60b)から外れた位置に突出端部が当接すると共に、前記固定ネジ(Na)を螺挿可能な固定突部(51)とを備え、
前記挿通孔部(74a)に挿通した固定ネジ(Na)を前記固定突部(51)に螺挿することで、固定突部(51)の突出端部に当接した前記カバー部材(70a,70b)と空間画成部材(30)との間に、当該固定突部(51)に対して突出方向に交差する方向に重なる状態で前記中継基板(60a,60b)が収容されることを要旨とする。
請求項１に係る発明によれば、カバー部材に中継基板を取り付けるよう構成すると共に、カバー部材において中継基板から外れた位置に挿通孔部を形成し、挿通孔部に挿通した固定ネジを空間画成部材の固定突部に螺挿して当該カバー部材を空間画成部材に取り付けるよう構成することにより、カバー部材に取り付けた中継基板を、固定突部に対して突出方向に交差する方向に重なる状態でカバー部材と空間画成部材との間に収容できるから、空間形成部材の後側に中継基板を覆うカバー部材を設けても、該中継基板およびカバー部材の空間形成部材に対する後方への突出寸法を抑えることができる。
【０００７】
請求項２に係る発明は、前記中継基板(60a,60b)には、前記基板本体(61)の実装面の直交方向から配線のコネクタを接続し得るよう前記コネクタ接続部(62)が設けられ、
前記空間画成部材(30)には、前記中継基板(60a,60b)との対向位置に、当該中継基板(60a,60b)へ向けて突出する突部(52,53)が突設されると共に、
前記中継基板(60a,60b)の基板本体(61)から前記突部(52,53)までの離間寸法は、当該基板本体(61)の前記他方の面に設けられた電子部品(64)から前記空間画成部材(30)までの離間寸法よりも小さくなるよう構成されたことを要旨とする。
請求項２に係る発明によれば、配線のコネクタを接続部に接続する際に中継基板が設置部材側に撓んだとしても、基板本体の他方の面(コネクタ接続部の実装面とは反対側の面)に設けられる電子部品が設置部材の後面に接触するのを防止できるから、空間画成部材に近接配置した中継基板を取り外すことなくコネクタ接続部に対する配線の着脱を行ったとしても中継基板に設けた電子部品が破損することがない。
【０００８】
請求項３に係る発明は、前記カバー部材(70a,70b)には、前記コネクタ接続部(62)の実装面に対向する後壁部(71)に、前方から固定ネジを螺挿可能な第２の固定突部(73)が後方へ向けて突設され、
前記中継基板(60a,60b)には、前記第２の固定突部(73)と対応する位置に、前記固定ネジを前方から挿通可能な第２の挿通孔部(61b)が形成され、
前記第２の挿通孔部(61b)に挿通した固定ネジを前記第２の固定突部(73)に螺挿することで、前記コネクタ接続部(62)の実装面を被覆する状態で前記カバー部材(70a,70b)に前記中継基板(60a,60b)が取り付けられたことを要旨とする。
請求項３に係る発明によれば、第２の固定突部をカバー部材の後面側に突出するよう設けてカバー部材と中継基板とを前側からネジ固定することで、中継基板を空間画成部材に近接配置できるから、カバー部材の後側のスペースを大きく確保することができる。
【０００９】
請求項４に係る発明は、前記カバー部材(70a,70b)は、前記コネクタ接続部(62)の実装面に設けられた電子部品(63)を被覆する被覆部(77)に、配線を保持する配線保持部(77a)が形成されたことを要旨とする。
請求項４に係る発明によれば、基板本体の後面を覆うカバー部材に配線保持部を形成することで、カバー部材の後側に配線を取り回しつつ、該配線の動きを防止することができる。また、配線保持部を被覆部に設けることにより、中継基板の基板本体から後方に離間する位置で配線を保持できるから、コネクタ接続部から後方へ向けて配線が引き出される構成においても、配線を基板本体に近接する側に過度に曲げて保持する必要が生じず、当該配線にかかる負担を抑えつつ当該配線を保持することができる。
【発明の効果】
【００１０】
本発明に係る遊技機によれば、中継基板をカバー部材により覆いつつ、該中継基板およびカバー部材の設置に必要な前後スペースを抑制できる。
【図面の簡単な説明】
【００１１】
【図１】実施例に係るパチンコ機を示す正面図である。
【図２】実施例に係る遊技盤を示す正面図である。
【図３】実施例に係る設置部材および取付ベースを示す分解斜視図である。
【図４】実施例の設置部材に第１中継基板および第２中継基板が設置された状態を示す背面図である。
【図５】図１２のＡ−Ａ線断面図である。
【図６】図１２のＢ−Ｂ線断面図である。
【図７】実施例に係る設置部材を示す背面図である。
【図８】実施例に係る第２中継基板を示し、(ａ)は背面図、(ｂ)は正面図、(ｃ)は平面図である。
【図９】実施例に係る第２中継カバーを示し、(ａ)は背面図、(ｂ)は正面図、(ｃ)は底面図である。
【図１０】実施例に係る第２中継基板を第２中継カバーに組み付けた状態を示す正面図である。
【図１１】実施例に係る第１中継基板を第１中継カバーに組み付けた状態を示す斜視図である。
【図１２】実施例に係る基板設置部を示す説明図である。
【発明を実施するための形態】
【００１２】
次に、本発明に係る遊技機につき、好適な実施例を挙げて、添付図面を参照しながら以下詳細に説明する。なお、遊技機としては、遊技球としてパチンコ球を用いて遊技が行われるパチンコ機を例にして説明する。また、以下の説明において、「前」、「後」、「左」、「右」とは、特に断りのない限り、図１に示すようにパチンコ機１０を前側(遊技者側)から見た状態で指称する。
【実施例】
【００１３】
(パチンコ機１０について)
実施例に係るパチンコ機１０は、図１に示すように、前後に開口する矩形枠状に形成されて遊技店の図示しない設置枠台に縦置き姿勢で設置される固定枠としての外枠１１の開口前面側に、遊技盤２０を着脱可能に保持する本体枠としての中枠１２が開閉および着脱可能に組み付けられて、該遊技盤２０の裏側に、所定条件の成立を契機として演出用の図柄を変動表示させて図柄変動演出を行う図柄表示装置１７が着脱可能に配設されている。また、前記中枠１２の前面側には、前記遊技盤２０の遊技領域２１と対応する位置に視認口１３ａが開口する装飾枠としての前枠１３が開閉可能に組み付けられている。そして、前枠１３には、ガラス板や透明な合成樹脂板で形成された透視保護板１８が視認口１３ａを覆うよう配設されており、遊技盤２０を前側から目視可能な状態で保護している。また、前記中枠１２の右下方位置には、該中枠１２に配設された球発射装置(図示せず)を作動する操作ハンドル１６が設けられている。
【００１４】
(遊技盤２０について)
図２に示すように、前記遊技盤２０は、透明な合成樹脂材(例えば、ポリカーボネイトやアクリル樹脂)により略矩形状に形成された板部材(遊技領域形成部材)２０ａを備えている。また遊技盤２０は、図３に示すように、板部材２０ａの後側(裏側)に配設される設置部材(空間画成部材)３０を備えており、これら板部材２０ａおよび設置部材３０を取付基台として複数の部品が着脱可能に取り付けられて構成されている。前記板部材２０ａの前面にはレール部材２２が設けられており、該レール部材２２によってパチンコ球が流下する略円形の遊技領域２１が画成されている。そして、前記板部材２０ａにおける遊技領域２１の内側に、パチンコ球が入球可能な入球部が設けられると共に、該遊技領域２１の最下部位置にアウト口２３が開設され、該アウト口２３を介して遊技領域２１からパチンコ球が排出される。なお、実施例の板部材２０ａは、設置部材３０の前側を透視可能な構成とされているが、板部材２０ａの裏面に不透明な装飾シートを貼付したり、板部材２０ａの素材としてベニヤ等の合板を採用することで、板部材２０ａの裏側を透視できないように構成してもよい。
【００１５】
図２に示すように、前記遊技領域２１には、前記入球部として、ゲート部２６、固定始動入賞部２７ａ、可変始動入賞部２７ｂ、特別入賞部２８等が適宜位置に夫々設けられている。ゲート部２６のゲート口にパチンコ球が入球すると、当該パチンコ球は第１制御基板(図示せず)に配線接続されたゲートセンサ(図示せず)によって検出される。そして、第１制御基板は、ゲートセンサがパチンコ球を検出したことによる検出信号の入力を条件として普通図柄抽選を実行すると共に、当該普通図柄抽選の結果に基づいて可変始動入賞部２７ｂの始動入賞口を開閉する開閉部材２７ｃを作動制御して始動入賞口をパチンコ球が入球し得る状態に変化させる。また、始動入賞部２７ａ,２７ｂの始動入賞口にパチンコ球が入球すると、当該パチンコ球は第１制御基板に配線接続された始動入球検出センサ(図示せず)によって検出される。そして、第１制御基板は、始動入球検出センサがパチンコ球を検出したことによる検出信号の入力を条件として特別図柄抽選を実行すると共に、当該特別図柄抽選の結果に基づいて特別入賞部２８の大入賞口を開閉する開閉部材２８ａを作動制御して大入賞口をパチンコ球が入球し得る状態に変化させる。
【００１６】
(設置部材について)
前記設置部材３０は、図３および図４に示すように、前側に開口する箱状に形成され、開口の前端が板部材２０ａの後面の外縁に近接して該板部材２０ａの後面の略全体を覆うように配設されている。この設置部材３０および板部材２０ａの間に画成される収容空間３１には、入球部(固定始動入賞部２７ａ、可変始動入賞部２７ｂおよび特別入賞部２８)に入球したパチンコ球を機外に排出するための球通路や、遊技に合わせた発光や動作等の演出を行ったり装飾を形成したりする演出装置が取り付けられ、１つの複合体としての裏ユニットを構成している。
【００１７】
図３および図４に示すように、前記設置部材３０において収容空間３１の後端を画成する対向板部３２には、前後に貫通する裏ユニット開口３０ａが形成されている。対向板部３２の後側には、図柄表示装置１７の前面が当接する装置当接支持面３５が設けられ、該装置当接支持面３５に前面が対向する状態で設置部材３０の後側に設置された図柄表示装置１７は、前面に設けられた表示面が裏ユニット開口３０ａを介して収容空間３１に臨むようになっている。この図柄表示装置１７の後面には、第１制御基板から送信されるコマンドに基づいて演出に関する制御を実行する第２制御基板を基板ケースに収容した第２制御装置(図示せず)が着脱可能に取り付けられる。図３に示すように、装置当接支持面３５の下側には、第１制御基板を基板ケースに収容した第１制御装置(図示せず)が配設される取付ベース４０が着脱可能に取り付けられ、該取付ベース４０の後面に取り付けられた第１制御装置がパチンコ機１０の後端部に位置している。取付ベース４０は、装置当接支持面３５の下側において左右に離間するよう設けられた軸受部３８および係止受部３９に架け渡されるようにして取り付けられている。軸受部３８には、取付ベース４０の軸部４０ａが回動可能に嵌合して枢支されており、該軸受部３８に嵌合する軸部４０ａを中心として取付ベース４０が扉状に開閉すると共に、取付ベース４０の係止部４０ｂが係止受部３９により係止されて当該取付ベース４０が固定されるようになっている。また、前記対向板部３２の後側には、後述する中継基板６０ａ,６０ｂを設置するための基板設置部５０が設けられている。
【００１８】
(基板設置部について)
図３、図５および図６に示すように、前記基板設置部５０は、前記装置当接支持面３５の下側に段部３６を介して連設されることで該装置当接支持面３５よりも前側に偏倚して設けられ、前記軸受部３８および係止受部３９の間で前記取付ベース４０により後側から覆われている。図４に示すように、基板設置部５０の左右一方側には、第１制御装置および他の電気部品を電気的に中継接続するための第１中継基板６０ａが、この第１中継基板６０ａの後面を被覆する第１中継カバー７０ａに取り付けられた状態で設置されている。また、基板設置部５０の後面の左右他方側には、第２制御装置および他の電気部品を電気的に中継接続するための第２中継基板６０ｂが、この第２中継基板６０ｂの後面を被覆する第２中継カバー７０ｂに取り付けられた状態で設置されている。すなわち、基板設置部５０の後面には、中継基板６０ａ,６０ｂおよび中継カバー(カバー部材)７０ａ,７０ｂからなるユニット体が左右に隣接して２つ設置されるようになっている。また、図６および図７に示すように、対向板部３２において基板設置部５０の上側に位置する段部３６には、中継カバー７０ａ,７０ｂの後述する係合突部８０と係合する係合口３６ａが、基板設置部５０側(実施例では下方)へ向けて開口するよう形成されている。
【００１９】
図７および図１２に示すように、前記基板設置部５０には、固定ネジＮａ(図５参照)を螺挿可能な設置固定突部(固定突部)５１が後方へ向けて突設されている。設置固定突部５１は、中継カバー７０ａ,７０ｂの後述するカバー挿通孔部(挿通孔部)７４ａに挿通した固定ネジＮａを螺挿し得るように該カバー挿通孔部７４ａに対応して設けられている。設置固定突部５１は、基板設置部５０の外縁近く(実施例では下縁近く)において中継基板６０ａ,６０ｂの下縁より下側に位置するように形成され、中継カバー７０ａ,７０ｂにおける中継基板６０ａ,６０ｂから外れた位置に突出端部が当接して、中継基板６０ａ,６０ｂと干渉しないようになっている。なお、前記基板設置部５０には、基板設置部５０の後面から後方へ向けた突出寸法が設置固定突部５１より小さい突部５２,５３が、中継基板６０ａ,６０ｂの位置する後方へ向けて突設されている。この突部５２,５３については後述する。
【００２０】
(中継基板について)
以下、第１中継基板６０ａおよび第２中継基板６０ｂについて説明する。なお、第２中継基板６０ｂと共通する第１中継基板６０ａの構成には第２中継基板６０ｂと同一符号を付し、第１中継基板６０ａの説明を省略する。
【００２１】
前記第２中継基板６０ｂは、図８に示すように、回路が形成される基板本体６１に複数の部品が配設されて構成されている。第２中継基板６０ｂにおいて遊技盤２０(設置部材３０)の後側を向く基板本体６１の後面には、第２制御装置や他の電気部品に接続される配線のコネクタが着脱可能に接続されるコネクタ接続部６２が設けられている。コネクタ接続部６２は、配線のコネクタを後方(基板本体６１の後面に対する直交方向)から抜き差しし得るように基板本体６１の後面に複数取り付けられて、当該基板本体６１の回路に接続されている。
【００２２】
図８および図１２に示すように、前記基板本体６１には、回路に接続する複数の電子部品６３,６４が取り付けられている。ここで、複数の電子部品６３,６４は、その一部がコネクタ接続部６２の実装面となる基板本体６１の後面に取り付けられている一方、コネクタ接続部６２の実装面とは反対側に位置する基板本体６１の前面にも当該複数の電子部品６３,６４の一部が取り付けられている。このように、第２中継基板６０ｂは、基板本体６１の前面および後面に複数の電子部品６３,６４を取り付けることで、基板本体６１の小型化が図られている。また、第２中継基板６０ｂには、基板本体６１におけるコネクタ接続部６２の後面に、前面に設けられる電子部品６４よりも高さ寸法の大きい電子部品６３が設けられている。すなわち、基板本体６１における対向板部３２との対向側に電子部品６３よりも高さ寸法の小さい電子部品６４を設けることで、第２中継基板６０ｂを対向板部３２に近接して設置し得るようになっている。なお、以下の説明では、基板本体６１の後面に取り付けられる電子部品(実施例ではコンデンサ)を第１電子部品６３と指称し、基板本体６１の前面に取り付けられる電子部品(実施例ではＬＥＤドライバ等)を第２電子部品６４と指称する。
【００２３】
図８(ａ)および図８(ｃ)に示すように、前記基板本体６１には、複数(実施例では４つ)の孔部６１ａ,６１ｂが貫通形成されている。複数の孔部６１ａ,６１ｂの一部は、第２中継基板６０ｂおよび第２中継カバー７０ｂ(後述)を相互に位置決めするための位置決め孔部６１ａであり、第２中継カバー７０ｂに形成された位置決めピン７５が嵌入するように形成されている。また、複数の孔部６１ａ,６１ｂの一部は、第２中継基板６０ｂが第２中継カバー７０ｂにより覆われた状態で該第２中継カバー７０ｂのカバー固定突部(第２の固定突部)７３に対向すると共に、固定ネジを挿通可能に形成され、前面側から挿通した固定ネジをカバー固定突部７３に螺挿して第２中継基板６０ｂを第２中継カバー７０ｂに固定するための基板挿通孔部(第２の挿通孔部)６１ｂとして用いられる。
【００２４】
(中継基板カバーについて)
以下、第１中継カバー７０ａおよび第２中継カバー７０ｂについて説明する。なお、第２中継カバー７０ｂと共通する第１中継カバー７０ａの構成には第２中継カバー７０ｂと同一符号を付し、第１中継カバー７０ａの説明を省略する。
【００２５】
図９に示すように、前記第２中継カバー７０ｂは、基板本体６１の後面を被覆する後壁部７１と、この後壁部７１の外周縁から前方に延出して基板本体６１の外周端面を被覆する周壁部７９とからなる前方に開放する箱状に構成されている。この第２中継カバー７０ｂの上端部には、前記対向板部３２に設けた前記係合口３６ａ(図４および図６参照)に係合する係合突部８０が形成されている。また、第２中継カバー７０ｂの下端部には、前記設置固定突部５１の突出端部を固定する固定部７４が設けられ、該固定部７４に、固定ネジＮａを後側から挿通可能なカバー挿通孔部(挿通孔部)７４ａが形成されている。すなわち、第２中継カバー７０ｂは、前記係合口３６ａに係合突部８０が係合した状態で、カバー挿通孔部７４ａに後側から挿通した固定ネジＮａを設置固定突部５１に螺挿することで、基板設置部５０に取り付けられる。
【００２６】
図５、図９および図１０に示すように、前記固定部７４は、第２中継カバー７０ｂにおける第２中継基板６０ｂから外れた位置に形成されている。この固定部７４は、周壁部７９の下壁部分に形成された切欠き７４ｄの形成位置に対応して設けられ、一部が周壁部７９の形成位置より下方に突出するよう形成されている。固定部７４の後面には、カバー挿通孔部７４ａの後端側が幅広に開口するよう形成されて、固定ネジＮａの頭部が係合する頭部係合部７４ｂとされている。また、固定部７４の前面には、設置固定突部５１の突出端部が嵌合する嵌合凹部７４ｃが形成され、該嵌合凹部７４ｃの底部に前記カバー挿通孔部７４ａの前端側が開口している。設置固定突部５１の突出端部は、嵌合凹部７４ｃに嵌合した状態で突出端部が嵌合凹部７４ｃの底部に当接するようになっている。
【００２７】
ここで、前記固定部７４は、後壁部７１の一部を後方へ向けて突出させることにより、後壁部７１における基板本体６１を支持する部位(基板本体６１との対向面)より後方に嵌合凹部７４ｃの底部が位置するようになっている。すなわち、第２中継カバー７０ｂは、固定ネジＮａを螺挿するために必要な突出寸法を設置固定突部５１に確保しながらも、第２中継基板６０ｂを対向板部３２に近接させて保持し得るように構成されている。
【００２８】
すなわち、第２中継カバー７０ｂを基板設置部５０に設置した状態では、図５に示すように、設置固定突部５１の突出端部に当接した第２中継カバー７０ｂと設置部材３０との間に、設置固定突部５１に対して突出方向に交差する方向(実施例では下方)に重なる状態で第２中継基板６０ｂが収容されるようになっている。このように、第２中継基板６０ｂの後面を第２中継カバー７０ｂで被覆すると共に、設置固定突部５１と第２中継基板６０ｂが前後方向に重なる構成を回避することで、第２中継基板６０ｂおよび第２中継カバー７０ｂを設置するための前後スペースを最小限に留めつつ設置部材３０の後面側に確保している。
【００２９】
前記後壁部７１は、図５、図６および図９(ｃ)に示すように、後述する被覆部７７を除いて基本的には基板本体６１の後面に沿う平板状に設けられている。後壁部７１には、第２中継基板６０ｂに設けた各コネクタ接続部６２の位置に接続用開口７２が形成され、当該接続用開口７２を介してコネクタ接続部６２が第２中継カバー７０ｂの後方に突出している。後壁部７１の前面には、第２中継基板６０ｂに設けられる複数の位置決め孔部６１ａに嵌合する複数の位置決めピン７５が前方へ向けて突出するよう形成されている。また、第２中継基板６０ｂの基板挿通孔部６１ｂに対応する位置には、前側から固定ネジを螺挿可能なカバー固定突部(第２の固定突部)７３が、後方へ向けて突出するよう後壁部７１に形成されている。カバー固定突部７３は、第２中継基板６０ｂの基板挿通孔部６１ｂに前側から挿通した固定ネジを螺挿し得るように形成されている。
【００３０】
また、前記後壁部７１の前面には、前方に突出する当接部７６(図９(ｂ)参照)が複数箇所に形成され、これら複数の当接部７６の突出端面が第２中継基板６０ｂの後面(基板本体６１の後面)に当接することで、後壁部７１における前記平板状の部位が第２中継基板６０ｂに対して僅かに離間するようになっている。すなわち、第２中継基板６０ｂの後面と、第２中継カバー７０ｂの後壁部７１の前面との間には、当接部７６の突出寸法と等しい間隙が形成されている。
【００３１】
なお、前記位置決めピン７５は、図６および図９(ｂ)に示すように、前記当接部７６の突出端面に形成されている。また、前記カバー固定突部７３は、基板挿通孔部６１ｂに前側から挿通された固定ネジの受入口となる螺入口７３ａを形成する前端部が後壁部７１の前面から突出して前記当接部７６を構成している。すなわち、位置決めピン７５および位置決め孔部６１ａの嵌合部位の周囲や、カバー固定突部７３および基板挿通孔部６１ｂの対向部位では、当接部７６が第２中継基板６０ｂ(基板本体６１の後面)を支持して第２中継基板６０ｂの変形を防止している。
【００３２】
図３、図６および図９(ｃ)に示すように、前記後壁部７１は、第１電子部品６３の設置領域に後側から対向する一部が、第１電子部品６３との干渉を避けるように後方に張り出して形成されて、これにより第１電子部品６３を被覆する被覆部７７が設けられている。被覆部７７には、配線を保持するための配線保持部７７ａが形成されている。配線保持部７７ａは、第２中継基板６０ｂの複数のコネクタ接続部６２に接続される複数の配線を保持し得るように形成されている。この配線保持部７７ａは、被覆部７７の後面から後方に延出するフック状に形成され、第２中継基板６０ｂのコネクタ接続部６２の接続口よりも基板本体６１から離間して設けられている。すなわち、第２中継カバー７０ｂにおいて第２中継基板６０ｂの基板本体６１から後方に離間するように被覆部７７に配線保持部７７ａを設けることで、基板本体６１のコネクタ接続部６２から後方へ引き出される配線を基板本体６１に近接する側に過度に曲げて保持する必要がないため、当該配線に係る負担を抑えつつ当該配線を保持することができる。
【００３３】
また、前記後壁部７１には、図３乃至図６に示すように、複数の接続用開口７２が設けられる領域と、該領域より第２中継カバー７０ｂの外縁側に位置する領域とを区画する隔壁部７８が、当該後壁部７１の後面から後方へ突出すると共に左右に延在するよう設けられている。この隔壁部７８は、前記対向板部３２の段部３６の下側に間隔をあけて当該段部３６と平行に延在している。すなわち、段部３６および隔壁部７８の間には、隔壁部７８に沿って配線を取り回し得る配線経路７８ａが左右に連通するように画成され、該配線経路７８ａに取り回される配線が、第２中継基板６０ｂのコネクタ接続部６２に接続される配線に絡まるのを隔壁部７８が防止し得るように構成されている。隔壁部７８は、被覆部７７と一体的に形成されることで強度が高められている。なお実施例では、第１中継カバー７０ａの隔壁部７８および段部３６の間に画成される配線経路７８ａと、第２中継カバー７０ｂの隔壁部７８および段部３６の間に画成される配線経路７８ａとが延在方向に並んで１つの経路を構成するようになっている。
【００３４】
図９(ｂ)および図９(ｃ)に示すように、前記周壁部７９の前端面には、前方に突出する周壁脚部７９ａが複数形成され、これら複数の周壁脚部７９ａの突出端面が対向板部３２の後面に当接した状態で第２中継カバー７０ｂが基板設置部５０に設置される。すなわち、第２中継カバー７０ｂは、周壁脚部７９ａによる当接部分を除いて基板設置部５０の後面から離間した状態とされることで、第２中継基板６０ｂから生じる熱を拡散させ易くなっている。
【００３５】
図９(ｂ)および図１０に示すように、前記周壁部７９の内面には、第２中継基板６０ｂの外周面と対向する凹部７９ｂが形成されている。凹部は、前記周壁部７９の下壁の一部を下方へ向けて湾曲状に突出させることで形成されている。この凹部７９ｂは、前記基板設置部５０に第２中継カバー７０ｂが設置される前の段階において第２中継基板６０ｂを周壁部７９の内側に嵌め込む際に、第２中継基板６０ｂを把持する作業者の指や保持具を周壁部７９および第２中継基板６０ｂの間に差し込んで第２中継カバー７０ｂの適宜位置に第２中継基板６０ｂを挿入し易くするために形成されている。なお、凹部７９ｂには、第２中継カバー７０ｂを基板設置部５０に設置した際に後述する離間突部５３が係合して、凹部７９ｂと、第２中継基板６０ｂの外周面との隙間を前側から塞ぐようになっている(図１０参照)。
【００３６】
前記第１中継カバー７０ａの周壁部７９には、図１１に示すように、前端側に開口する切欠き部７９ｃが形成されている。この切欠き部７９ｃは、第１中継カバー７０ａを基板設置部５０に設置する際に、当該第１中継カバー７０ａと、対向板部３２から後方に突出する演出部品用ネジ固定部５４(収容空間３１に収容される演出部品８９を前側からネジ固定するためのボス部)との干渉を避けるために設けられている。
【００３７】
(基板設置部の突部について)
図５乃至図７に示すように、前記突部５２,５３は、前記基板設置部５０の後面から後方へ突出するよう形成されると共に、突出端面が対向板部３２の後面と平行な平面とされている。突部５２,５３は、中継基板６０ａ,６０ｂの基板本体６１から当該突部５２,５３までの離間寸法が、基板本体６１に設けられた第１電子部品６３から対向板部３２(設置部材３０)までの離間寸法より小さくなるように設けられている。すなわち、突部５２,５３は、第２中継基板６０ｂの設置部材３０側へ向けた撓み幅を制限するように作用する。
【００３８】
ここで、前記基板設置部５０には、基板本体６１までの離間寸法が相違する複数種類(実施例では２種類)の突部５２,５３として、基板本体６１までの離間寸法が小さい近接突部(第１突部)５２と、基板本体６１までの離間寸法が近接突部５２より大きい離間突部(第２突部)５３とが設けられている。すなわち、基板本体６１までの離間寸法が相違する近接突部５２および離間突部５３を設けることで、設置部材３０側へ向けた撓んだ中継基板６０ａ,６０ｂを当該近接突部５２および離間突部５３によって段階的に支持し得るようになっている。なお、実施例の近接突部５２は、対向板部３２から基板本体６１へ向けた突出寸法が、対向板部３２および中継基板６０ａ,６０ｂの離間寸法と概ね一致するように突設されている。すなわち、近接突部５２の突出端部は、中継基板６０ａ,６０ｂの基板本体６１と当接するか、僅かに離間するように設けられている。一方、前記離間突部５３の突出端部は、近接突部５２よりも基板本体６１から離間するように設けられており、中継基板６０ａ,６０ｂの撓み変形を近接突部５２で防ぎきれない場合に補助的に中継基板６０ａ,６０ｂの撓みを防止し得るようになっている。ここで、離間突部５３には、前記収容空間３１に収容される演出部品(実施例では、発光体基板)８９を固定する固定ネジＮｂ(図６参照)が前側から螺挿されるように構成されている。すなわち、離間突部５３は、内部に固定ネジＮｂによる芯が形成されており、近接突部５２と較べて高い剛性を有している。
【００３９】
(実施例の作用)
【００４０】
(中継基板および中継基板カバーの組み付けについて)
中継カバー７０ａ,７０ｂに中継基板６０ａ,６０ｂを取り付ける場合には、先ず、中継カバー７０ａ,７０ｂに設けた位置決めピン７５が中継基板６０ａ,６０ｂの位置決め孔部６１ａに嵌合するように、中継カバー７０ａ,７０ｂの周壁部７９の内側に中継基板６０ａ,６０ｂを挿入する。この際に、中継カバー７０ａ,７０ｂに設けられた凹部７９ｂと中継基板６０ａ,６０ｂとの間に隙間が形成されているから、当該隙間を利用して中継基板６０ａ,６０ｂを容易に周壁部７９の内側に収納することができる。そして、位置決めピン７５に位置決め孔部６１ａが嵌合して中継基板６０ａ,６０ｂが位置決めされた状態で、中継基板６０ａ,６０ｂの基板挿通孔部６１ｂに前側から固定ネジを挿通させて、該固定ネジを中継カバー７０ａ,７０ｂに設けられたカバー固定突部７３に螺挿することで、中継基板６０ａ,６０ｂが中継カバー７０ａ,７０ｂの適正位置に取り付けられる。ここで、中継カバー７０ａ,７０ｂにおいて、後壁部７１における基板本体６１を支持する部位(基板本体６１との対向面)より後方に嵌合凹部７４ｃの底部が位置するように固定部７４が形成されていることにより、固定ネジＮａを螺挿するために必要な突出寸法を設置固定突部５１に確保しつつ、中継基板６０ａ,６０ｂを対向板部３２に近接させて保持することができる。
【００４１】
(中継基板カバーの基板設置部への設置について)
中継基板６０ａ,６０ｂが取り付けられた中継カバー７０ａ,７０ｂを基板設置部５０に設置する場合には、中継基板６０ａ,６０ｂの前面(コネクタ接続部６２の実装面とは反対側の面)を基板設置部５０に向けて、中継カバー７０ａ,７０ｂのカバー挿通孔部７４ａが基板設置部５０の設置固定突部５１の位置と合うように基板設置部５０に中継カバー７０ａ,７０ｂを載置する。この場合に中継基板６０ａ,６０ｂは、中継カバー７０ａ,７０ｂの内部において設置固定突部５１に対して突出方向に交差する方向に重なる前後位置に収容される。そして、カバー挿通孔部７４ａに対して後側から挿通した固定ネジＮａを設置固定突部５１に螺挿することで、中継カバー７０ａ,７０ｂが基板設置部５０に設置される。
【００４２】
(コネクタ接続部に対する配線のコネクタの着脱について)
中継基板６０ａ,６０ｂに接続される配線の着脱を行う場合には、外枠１１に対して中枠１２を開放することで、中枠１２に設置された遊技盤２０の後側に中継基板６０ａ,６０ｂの後面を露出させて、該中継基板６０ａ,６０ｂの後側に設けられているコネクタ接続部６２に対して配線のコネクタを着脱する。コネクタ接続部６２は、接続口が後方に向いた状態で基板本体６１の後面に取り付けられているため、配線のコネクタをコネクタ接続部６２に対して後方(基板本体６１の後面に対する直交方向)から容易に着脱することができる。また、配線のコネクタをコネクタ接続部６２に接続する際に中継基板６０ａ,６０ｂが設置部材３０側に撓んだ際には、突部５２,５３の内で基板本体６１からの離間寸法が小さい近接突部５２によって中継基板６０ａ,６０ｂが支持される。但し、近接突部５２が変形し得る強い力で中継基板６０ａ,６０ｂが基板設置部５０側に押し付けられた場合には、離間突部５３により中継基板６０ａ,６０ｂを支持することで中継基板６０ａ,６０ｂの撓みが防止される。
【００４３】
中継基板に設けられる第１部品および第２部品を基板本体の前面および後面に振り分けて設けることで、中継基板６０ａ,６０ｂにおける複数の電子部品６３,６４の配設位置を基板本体６１の前面および後面に振り分けることにより、電子部品６３,６４の設置自由度が高まるから、基板本体６１の大きさ(前面および後面の面積)を小さくすることができ、基板設置部５０における中継基板６０ａ,６０ｂの設置面積を縮小できる。また、中継基板６０ａ,６０ｂの基板本体６１の前面に設けられる第２電子部品６４よりも高さ寸法の大きい第１電子部品６３を基板本体６１の後面に設けることにより、中継基板６０ａ,６０ｂを設置部材３０に近接配置して設置部材３０の後側の前後スペースを確保することができる。
【００４４】
中継基板６０ａ,６０ｂを中継カバー７０ａ,７０ｂに取り付けるよう構成し、固定ネジＮａを挿通可能なカバー挿通孔部７４ａを、中継カバー７０ａ,７０ｂにおける中継基板６０ａ,６０ｂから外れた位置に形成すると共に、固定ネジＮａを螺挿可能な設置固定突部５１を、設置部材３０の後面から後方へ向けて突設して中継カバー７０ａ,７０ｂにおける中継基板６０ａ,６０ｂから外れた位置に当接するよう形成し、カバー挿通孔部７４ａに挿通した固定ネジＮａを設置固定突部５１に螺挿する。この場合に、設置固定突部５１の突出端部に当接した中継カバー７０ａ,７０ｂと設置部材３０との間に、設置固定突部５１に対して突出方向に交差する方向に重なる状態で中継基板６０ａ,６０ｂが収容される。すなわち、固定ネジＮａを螺挿し得る程度の突出寸法が必要な設置固定突部５１と、中継基板６０ａ,６０ｂとが設置部材３０(対向板部３２)の後側で前後方向に重ならないから、設置部材３０(対向板部３２)の後側に中継基板６０ａ,６０ｂを覆う中継カバー７０ａ,７０ｂを設けても、該中継基板６０ａ,６０ｂおよび中継カバー７０ａ,７０ｂの設置部材３０に対する後方への突出寸法を抑えることができる。
【００４５】
基板本体６１の後面に設けたコネクタ接続部６２に対して基板本体６１の後面の直交方向から配線のコネクタを接続し得る構成において、設置部材３０(基板設置部５０)における中継基板６０ａ,６０ｂとの対向位置に、当該中継基板６０ａ,６０ｂへ向けて突出する突部５２,５３を突設し、基板本体６１から突部５２,５３までの離間寸法が、当該基板本体６１の前面に設けた第２電子部品６４から設置部材３０(基板設置部５０)までの離間寸法よりも小さくなるよう構成することにより、配線のコネクタをコネクタ接続部６２に接続する際に中継基板６０ａ,６０ｂが設置部材３０(基板設置部５０)側に撓んだとしても、基板本体６１の前面に設けられる第２電子部品６４が設置部材３０(基板設置部５０)の後面に接触するのを防止できるから、設置部材３０に近接配置した中継基板６０ａ,６０ｂを取り外すことなくコネクタ接続部６２に対する配線の着脱を行ったとしても中継基板６０ａ,６０ｂに設けた第２電子部品６４が破損することがない。
【００４６】
突部５２,５３として、基板本体６１までの離間寸法が相違する近接突部(第１突部)５２および離間突部(第２突部)５３を設けることにより、コネクタ接続部６２に配線のコネクタを接続する場合等に、中継基板６０ａ,６０ｂを設置部材３０側に押し付ける力が加わった際には、基板本体６１に近接(当接)して中継基板６０ａ,６０ｂを支持する近接突部５２によって中継基板６０ａ,６０ｂの撓み変形が防止される。但し、近接突部５２が変形し得る強い力で中継基板６０ａ,６０ｂが基板設置部５０側に押し付けられた場合には、離間突部５３により中継基板６０ａ,６０ｂを支持することで中継基板６０ａ,６０ｂの撓みが防止される。ここで、離間突部５３には、収容空間３１に収容される演出部品８９を固定する固定ネジＮｂが前側から螺挿され、該離間突部５３に固定ネジＮｂによる強固な芯が形成されるから、中継基板６０ａ,６０ｂを離間突部５３により確実に支えることができる。更に、収容空間３１に収容される演出部品８９のネジ固定部を離間突部５３として形成することにより、演出部品８９と設置部材３０の対向板部３２とを前後に近接させて収容空間３１の省スペース化を図ることができる。
【００４７】
中継カバー７０ａ,７０ｂの後壁部７１に、前方から固定ネジを螺挿可能なカバー固定突部(第２の固定突部)７３を後方へ向けて突設すると共に、中継基板６０ａ,６０ｂには、カバー固定突部７３と対応する位置に、固定ネジを前方から挿通可能な基板挿通孔部(第２の挿通孔部)６１ｂを形成して、基板挿通孔部６１ｂに挿通した固定ネジをカバー固定突部７３に螺挿することで、中継基板６０ａ,６０ｂの後面(コネクタ接続部６２の実装面)を被覆する状態で中継カバー７０ａ,７０ｂに中継基板６０ａ,６０ｂが取り付けられることにより、中継基板６０ａ,６０ｂを設置部材３０に近接配置できるから、中継カバー７０ａ,７０ｂの後側のスペースを大きく確保することができる。
【００４８】
中継カバー７０ａ,７０ｂにおいて、複数の接続用開口７２が設けられる領域と該領域より中継カバー７０ａ,７０ｂの外縁側に位置する領域とを区画するよう後方へ突出する隔壁部７８を設け、中継カバー７０ａ,７０ｂの外縁側(段部３６側)に位置する領域に、隔壁部７８に沿って配線が取り回されるよう構成することにより、配線を隔壁部７８により案内すると共に、当該配線がコネクタ接続部６２に干渉するのを隔壁部７８により防止することができる。
【００４９】
中継カバー７０ａ,７０ｂにおいて第１電子部品６３を被覆する被覆部７７に、配線を保持する配線保持部７７ａを形成することにより、中継カバー７０ａ,７０ｂの後側に配線を取り回しつつ、配線保持部７７ａによって該配線の動きを防止することができる。また、配線保持部７７ａを被覆部７７に設けることで中継基板６０ａ,６０ｂの基板本体６１から後方に離間する位置において配線を保持できるから、コネクタ接続部６２から後方へ向けて配線が引き出される構成においても、配線を基板本体６１に近接する側に過度に曲げて保持する必要が生じず、当該配線にかかる負担を抑えつつ当該配線を保持することができる。
【００５０】
＜変更例＞
(１)  実施例では、中継基板として、第１中継基板および第２中継基板を設けたが、第１制御装置や第２制御装置とは異なる制御装置と他の電気部品とを電気的に接続する他の中継基板を設け、当該中継基板をカバー部材により覆う構成としてもよい。
(２)  実施例では、中継基板におけるコネクタ接続部の実装面(後面)および他方の面(前面)に電子部品を設けるように構成したが、実装面(後面)および他方の面(前面)の何れか一方にのみ電子部品を設けるように構成してもよい。また、中継基板にコネクタ接続部を設けつつ電子部品を設けない構成としてもよい。
(３)  実施例では、設置部材に設けた設置固定突部が基板設置部に配設された中継基板の下縁より下側に位置し、中継基板カバーにおける中継基板から外側に外れた位置に設けたカバー挿通孔部と設置固定突部とを固定ネジにより固定するよう構成したが、中継基板カバーにおいてカバー挿通孔部を中継基板に形成した切欠きや開口に対応して設けて該カバー挿通孔部と基板設置部の設置固定突部とを相互に固定するように構成してもよい。
(４)  実施例では、中継基板の前方への撓み幅を制限するための突部として、設置部材の対向板部の後面から後方へ向けた突出寸法が相違する近接突部(第１突部)および離間突部(第２突部)を設けたが、複数の突部の突出寸法が全て等しくなるよう設けてもよい。
(５)  実施例では、離間突部(第２突部)として、収容空間内に収容される演出部品としての発光体基板をネジ止めするための演出部品用ネジ固定部を利用したが、収容空間内に収容される発光体基板以外の部材(例えば、演出部品としての駆動機構やリンク機構等)をネジ止めするための演出部品用ネジ固定部を離間突部として設けてもよい。
(６)  実施例では、中継基板カバーにおいて第１電子部品を覆う被覆部に配線保持部を形成したが、配線保持部を中継基板カバーの隔壁や周壁部に設けてもよい。また、中継基板カバーに配線保持部を設けない構成とすることもできる。
(７)  実施例では、中継基板カバーにおいて第１電子部品を覆う被覆部を形成したが、中継基板の全ての電子部品をコネクタ接続部の実装面としての基板本体の後面ではなく前面に配設して、被覆部を不要としてもよい。
【００５１】
＜付記＞
(１)  請求項１記載の構成を含む遊技機に関し、
前記カバー部材(70a,70b)には、前記コネクタ接続部(62)の実装面に対向する後壁部(71)に、前記コネクタ接続部(62)が挿通される複数の接続用開口(72)が設けられると共に、当該複数の接続用開口(72)が設けられる領域と該領域よりカバー部材(70a,70b)の外縁側に位置する領域とを区画するよう後方へ突出する隔壁部(78)が設けられ、前記カバー部材(70a,70b)の外縁側に位置する領域に前記隔壁部(78)に沿って配線が取り回されるよう構成されたことを要旨とする遊技機。
付記１の構成によれば、カバー部材の後壁部の後側に取り回される配線を隔壁部により案内すると共に、当該配線がコネクタ接続部に干渉するのを隔壁部により防止することができる。
(２)  請求項２記載の構成を含む遊技機に関し、
前記突部(52,53)として、前記基板本体(61)までの離間寸法が相違する第１突部(52)および第２突部(53)が設けられ、
前記基板本体(61)までの離間寸法が前記第１突部(52)より大きい前記第２突部(53)には、前記収容空間(31)に収容される演出部品(89)を固定する固定ネジが前側から螺挿されるよう構成されたことを要旨とする遊技機。
付記２の構成によれば、基板本体までの離間寸法が相違する第１突部および第２突部を設けることにより、空間形成部材へ向けて撓んだ中継基板を第１突部および第２突部により段階的に支持することができる。また、基板本体までの離間寸法が第１突部よりも大きい第２突部に固定ネジを螺挿することで該第２突部に固定ネジによる強固な芯が形成されるから、中継基板を第２突部により確実に支えることができる。更に、収容空間に収容される演出部品のネジ固定部を第２突部として形成することにより、演出部品および空間形成部材を前後に近接させて収容空間の省スペース化を図ることができる。
【符号の説明】
【００５２】
２０ａ  板部材(遊技領域形成部材)
３０  設置部材(空間画成部材)
３１  収容空間
５１  設置固定突部(固定突部)
５２  近接突部(突部,第１突部)
５３  離間突部(突部,第２突部)
６０ａ  第１中継基板(中継基板)
６０ｂ  第２中継基板(中継基板)
６１  基板本体
６１ｂ  基板挿通孔部(第２の挿通孔部)
６２  コネクタ接続部
６３  第１電子部品(電子部品)
６４  第２電子部品(電子部品)
７０ａ  第１中継カバー(カバー部材)
７０ｂ  第２中継カバー(カバー部材)
７１  後壁部
７３  カバー固定突部(第２の固定突部)
７４  カバー挿通孔部(挿通孔部)
７７  被覆部
７７ａ  配線保持部
８９  演出部品
【図１】
2015198752.tif 000003
【図２】
2015198752.tif 000004
【図３】
2015198752.tif 000005
【図４】
2015198752.tif 000006
【図５】
2015198752.tif 000007
【図６】
2015198752.tif 000008
【図７】
2015198752.tif 000009
【図８】
2015198752.tif 000010
【図９】
2015198752.tif 000011
【図１０】
2015198752.tif 000012
【図１１】
2015198752.tif 000013
【図１２】
2015198752.tif 000014